(57)【要約】      （修正有）【課題】ＳＬ材、グラウト材など、平均粒径が異なる少なくとも２つの成分が混合されたセメント組成物を、各成分を分離させることなく、最初から最後までほぼ一定の組成で取り出すことができるセメント組成物貯蔵用容器を提供する。【解決手段】セメント組成物貯蔵用容器１０は、上部にセメント組成物の供給口１１を、下部に排出口１２を有し、セメント組成物の供給口と排出口との間に、容器内を区分する格子状の仕切り板１３を備える。【選択図】図１
0003124511.tif 000002
【実用新案登録請求の範囲】
【請求項１】
平均粒径が異なる少なくとも２つの成分が混合されたセメント組成物を貯蔵する容器であって、
上部にセメント組成物の供給口を、下部に排出口を有し、
セメント組成物の供給口と排出口との間に、容器内を区分する格子状の仕切り板を備えるセメント組成物貯蔵用容器。
【請求項２】
前記セメント組成物に含まれる成分中、
平均粒径が最も小さい成分の平均粒径が５〜１００μｍの範囲にあり、
平均粒径が最も大きい成分の平均粒径が１００〜１５００μｍの範囲にある請求項１に記載のセメント組成物貯蔵用容器。
【請求項３】
前記セメント組成物に含まれる成分の中で、真比重が最大のものと最小のものとの真比重の差が５ｇ／ｃｍ３以下である請求項１または２に記載のセメント組成物貯蔵用容器。
【請求項４】
サイロである請求項１〜３のいずれかに記載のセメント組成物貯蔵用容器。
【請求項５】
セメント組成物施工用トラックのタンクである請求項１〜３のいずれかに記載のセメント組成物貯蔵用容器。
【請求項６】
請求項５に記載のタンクを備えたセメント組成物施工用トラック。
【考案の詳細な説明】
【技術分野】
【０００１】
本考案は、セメント組成物用サイロおよびセメント組成物施工用トラックのタンクなどのセメント組成物貯蔵用容器に関する。
【背景技術】
【０００２】
従来、粉体の貯蔵にはサイロが使用されており、粉体の輸送にはタンクローリー車が使用されている。粉体のセメント組成物もまた、貯蔵にはサイロが使用され、輸送にはタンクローリー車が使用されている。
【考案の開示】
【考案が解決しようとする課題】
【０００３】
しかし、セメント組成物は、通常、平均粒径が異なる２つ以上の成分（セメント粉体、骨材など）の混合物であり、これをサイロまたはタンクローリー車のタンクから抜き出す時に、粒径の大きい骨材が先に排出され、セメント粉体が後に排出されるといった成分分離が発生し、所望の組成のセメント組成物を安定に取り出すことができない場合がある。特に、セルフレベリング性を有するセメント組成物、すなわちセメント系セルフレベリング材（以下、ＳＬ材と言う。）や、グラウト材など、平均粒径が５〜１００μｍのセメント微粉と平均粒径が１００〜１５００μｍの細骨材とを含むセメント組成物である場合、成分分離を防止し、最初から最後まで組成を均一に保って取り出すことは困難である。
【０００４】
本考案は、このような問題に鑑みてなされたものであり、ＳＬ材、グラウト材など、平均粒径が異なる少なくとも２つの成分が混合されたセメント組成物を、各成分を分離させることなく、最初から最後までほぼ一定の組成で取り出すことができるセメント組成物貯蔵用容器を提供することを目的とする。
【課題を解決するための手段】
【０００５】
本考案は以下の事項に関する。
【０００６】
１．  平均粒径が異なる少なくとも２つの成分が混合されたセメント組成物を貯蔵する容器であって、
上部にセメント組成物の供給口を、下部に排出口を有し、
セメント組成物の供給口と排出口との間に、容器内を区分する格子状の仕切り板を備えるセメント組成物貯蔵用容器。
【０００７】
２．  前記セメント組成物に含まれる成分中、
平均粒径が最も小さい成分の平均粒径が５〜１００μｍの範囲にあり、
平均粒径が最も大きい成分の平均粒径が１００〜１５００μｍの範囲にある上記１に記載のセメント組成物貯蔵用容器。
【０００８】
３．  前記セメント組成物に含まれる成分の中で、真比重が最大のものと最小のものとの真比重の差が５ｇ／ｃｍ３以下である上記１または２に記載のセメント組成物貯蔵用容器。
【０００９】
４．  サイロである上記１〜３のいずれかに記載のセメント組成物貯蔵用容器。
【００１０】
５．  セメント組成物施工用トラックのタンクである上記１〜３のいずれかに記載のセメント組成物貯蔵用容器。
【００１１】
６．  上記５に記載のタンクを備えたセメント組成物施工用トラック。
【考案の効果】
【００１２】
本考案によれば、セメント組成物貯蔵用容器内に貯蔵された、平均粒径が異なる少なくとも２つの成分が混合されたセメント組成物を、各成分を分離させることなく、最初から最後までほぼ一定の組成で取り出すことができる。
【００１３】
サイロ、トラックのタンク等のセメント組成物貯蔵用容器からセメント組成物を抜き出す時、特に上層部においてセメント組成物が流動しながら排出されるために、粒度差から成分の分離が発生し、粒度の大きいものから排出されてしまう。セメント組成物貯蔵用容器内を格子状の仕切り板により区分することで、セメント組成物の横方向の流動が妨げられ、成分分離を抑制することができる。
【考案を実施するための最良の形態】
【００１４】
本考案のセメント組成物貯蔵用容器（サイロ）の一実施形態を図面を参照して説明する。図１は本考案のセメント組成物用サイロの模式的縦断面図、図２はそのＡ−Ａ’断面図である。
【００１５】
本考案のセメント組成物用サイロ１０は、サイロ内が格子状に区切られていればよく、サイロ上部のセメント組成物の供給口１１と下部の排出口１２との間に、サイロ内を区分する格子状の仕切り板１３を備えている。
【００１６】
この仕切り板は格子状であればよく、図１、図２に示すように等間隔の格子であることが好ましい。格子間隔は特に限定されず、適宜決めることができる。
【００１７】
仕切り板の上端は、サイロ内部全体にセメント組成物を供給できる限り高くあることが好ましい。一方、仕切り板の下端は、サイロ下部の排出口１２に向かって断面を小さくするホッパー部の傾斜壁面１４の上端と同じ高さにあることが好ましい。
【００１８】
図１、図２に示すような本考案のセメント組成物用サイロは、排出口１２を閉じた状態で供給口１１からセメント組成物が供給され、格子状の仕切り板により画設されたサイロ内に貯蔵される。そして、必要時に排出口１２を開け、そこからセメント組成物を取り出す。このとき、サイロ内の格子状の仕切り板１３によってセメント組成物の流動が妨げられるので、セメント組成物の平均粒径が異なる成分の分離が抑制され、最初から最後までほぼ一定の組成で、貯蔵されているセメント組成物を取り出すことができる。
【００１９】
次に、本考案のセメント組成物貯蔵用容器（タンク）を備えたセメント組成物施工用トラックの一実施形態を図面を参照して説明する。図３は本考案のセメント組成物施工用トラックの縦断面図、図４はその平面図、図５はその背面図である。
【００２０】
本考案のセメント組成物施工用トラック２０は、内部が格子状に区切られている、セメント組成物を収容するためのタンク２４を有していればよい。タンク２４は、上部にセメント組成物の供給口２１を、下部には排出口を有し、その間にタンク内を区分する格子状の仕切り板２３を備えている。図３〜図５に示すセメント組成物施工用トラックでは、タンク２４内部にスクリューフィーダー２２が設けられており、これによってセメント組成物がタンク２４からホッパー２５、セメント混練装置（ミキサー）２６へと送られるようになっている。
【００２１】
本考案のセメント組成物用サイロと同様に、タンク内の仕切り板は格子状であればよく、図３、図４に示すように等間隔の格子であることが好ましい。格子間隔は特に限定されず、適宜決めることができる。
【００２２】
仕切り板の上端は、タンク内部全体にセメント組成物を供給できる限り高くにあることが好ましい。一方、仕切り板の下端は、タンク下部の排出口あるいはタンク内部のスクリューフィーダー２２の上端付近にあることが好ましい。
【００２３】
本考案のセメント組成物施工用トラック２０は、セメントと水との混練物（セメント組成物スラリー）を製造できるように、セメント混練装置２６と、タンク２４からセメント混練装置２６に必要量のセメント組成物を供給するためのスクリューフィーダー２２とを有する。さらに、セメント組成物施工用トラック２０は、混練用の水を輸送、供給するために、水タンク２７を備えており、タンク内の水は、水供給ポンプ２８により、水供給パイプ２９を通ってセメント混練装置２６に供給される。
【００２４】
図３〜図５に示すような本考案のセメント組成物施工用トラックは、排出口を閉じた状態で、供給口２１から、格子状の仕切り板２３により画設されたタンク２４内にセメント組成物が供給される。そして、所定量のセメント組成物をタンク２４内に入れた後、供給口２１を閉じて施工現場まで移動する。施工現場に到着後、必要時にタンク２４下部の排出口を開け、そこからセメント組成物を取り出す。このとき、タンク内の格子状の仕切り板２３によってセメント組成物の流動が妨げられるので、セメント組成物の平均粒径が異なる成分の分離が抑制され、最初から最後までほぼ一定の組成でセメント組成物を取り出すことができる。
【００２５】
セメント組成物は次いで、スクリューフィーダー２２により制御されて、セメント混練装置２６に導入される。このセメント混練装置２６には、ほぼ同時に混練用の水が、供給水量を調整しながら、水タンク２７から供給される。この混練用の水は、セメント組成物施工用トラックに搭載した水タンクに充填して輸送されるが、現場において調達し、混練装置に供給するようにすることもできる。セメント混練装置２６にて混練されたセメントと水との混合物はセメント組成物スラリーとなり、セメント組成物スラリー・ストレージホッパー３０から、スラリーポンプ３１によって、スラリーホース３２を通って外部に排出される。セメント組成物スラリー・ストレージホッパー３０は、そこでセメント組成物スラリーの撹拌を続けられるようになっていてもよい。なお、工事現場に備えられているスラリーポンプを使用できる場合は、スラリーポンプ３１はなくてもよい。
【００２６】
図３〜図５に示すセメント組成物施工用トラックは、セメント混練装置２６などを有し、セメントと水との混練物を製造できるように構成されているが、セメント組成物の輸送のみを行うためのトラックであれば、これらはなくてもよい。
【００２７】
次に、本考案が適用されるセメント組成物について説明する。
【００２８】
本考案が適用されるセメント組成物としては、セルフレベリング材やグラウト材などが挙げられる。
【００２９】
本考案が適用されるセメント組成物は、少なくとも２つの平均粒径の異なる成分を含む。平均粒径が小さい成分の平均粒径は５〜１００μｍが好ましく、８〜８０μｍがさらに好ましく、１０〜５０μｍが特に好ましい。平均粒径が大きい成分の平均粒径は１００〜１５００μｍが好ましく、１１０〜１２００μｍがさらに好ましく、１２０〜１０００μｍが特に好ましい。セメント組成物が平均粒径の異なる成分を３つ以上含む場合、平均粒径が最も小さい成分と平均粒径が最も大きい成分の平均粒径がそれぞれ上記の範囲内であることが好ましい。
【００３０】
平均粒径が大きく異なる成分を混合した場合、混合後の組成物の粒度分布を測定すると、通常、その成分に基づく極大ピークが観察される。
【００３１】
平均粒径が異なる少なくとも２つの成分が混合されたセメント組成物の粒度分布を図６および表１に示す。
【表１】
0003124511.tif 000003
【００３２】
セメント組成物の粒度分布は、セメント組成物をふるい目が１５０μｍの篩を用いて、粒径が１５０μｍ未満の粒子と１５０μｍ以上の粒子に篩い分け、粒径が１５０μｍ未満の粒子については、セイシン企業社製ＳＫレーザーマイクロンサイザーＬＭＳ−３０を用いて粒度分布測定を行い、１５０μｍ以上の粒子については、ふるい目がより大きいものを使用して篩い分けを行って粒度分布を測定した。
【００３３】
図６に示したセメント組成物では、約２４μｍと約２１０μｍで極大になっている。約２４μｍで極大になっているものがセメント粉体を主体とする微粒子群であり、原料のセメント粉体を単独でＳＫレーザーマイクロンサイザーを用いて測定した平均粒径は２２μｍである。約２１０μｍで極大になっているものが骨材を主体とする粗粒群であり、原料の骨材について単独でふるい試験を行って測定した平均粒径は２２８μｍである。これらの平均粒径の差は２０６μｍであり、本考案によれば、このようなセメント組成物も組成を均一に保ってセメント貯蔵用容器から抜き出すことができる。
【００３４】
また、本考案が適用されるセメント組成物は、含まれる成分がいずれも、最大粒径が５ｍｍ以下、より好ましくは４ｍｍ以下、特に好ましくは３ｍｍ以下のものであることが好ましい。最大粒径が５ｍｍを超えると、セメント組成物中の粗大な粒子の分布状態を均一に保つことが難しくなる傾向がある。
【００３５】
本考案が適用されるセメント組成物に含まれる成分中、真比重が最大のものと最小のものとで、その差が５ｇ／ｃｍ３以下、より好ましくは４ｇ／ｃｍ３以下、特に好ましくは３ｇ／ｃｍ３以下であることが好ましい。真比重の差が５ｇ／ｃｍ３を超えると、本考案のセメント組成物貯蔵用容器を用いても、安定してセメント組成物の成分分離を防止することが難しくなることがある。
【００３６】
図６に示したセメント組成物について、セイシン企業  ＭＡＴ−７０００で各成分の真比重を測定したところ、セメント粉体は３．２ｇ／ｃｍ３であり、骨材は２．６ｇ／ｃｍ３であった。その差は０．６ｇ／ｃｍ３であった。
【００３７】
本考案によれば、このようなセメント組成物を、組成を均一に保って、セメント組成物貯蔵用容器から最初から最後まで安定して抜き出すことができる。
【図面の簡単な説明】
【００３８】
【図１】本考案のセメント組成物用サイロの一例を示す縦断面図である。
【図２】本考案のセメント組成物用サイロの一例を示す横断面図である。
【図３】本考案のセメント組成物施工用トラックの一例を示す縦断面図である。
【図４】本考案のセメント組成物施工用トラックの一例を示す平面図である。
【図５】本考案のセメント組成物施工用トラックの一例を示す背面図である。
【図６】セメント組成物の粒度分布を示すグラフである。
【符号の説明】
【００３９】
１０  セメント組成物用サイロ
１１  セメント組成物供給口
１２  セメント組成物排出口
１３  仕切り板
１４  傾斜壁面
２０  セメント組成物施工用トラック
２１  セメント組成物供給口
２２  スクリューフィーダー
２３  仕切り板
２４  タンク
２５  ホッパー
２６  セメント混練装置（ミキサー）
２７  水タンク
２８  水供給ポンプ
２９  水供給パイプ
３０  セメント組成物スラリー・ストレージホッパー
３１  スラリーポンプ
３２  スラリーホース
【図１】
0003124511.tif 000004
【図２】
0003124511.tif 000005
【図３】
0003124511.tif 000006
【図４】
0003124511.tif 000007
【図５】
0003124511.tif 000008
【図６】
0003124511.tif 000009